(57)【要約】  【課題】  ズボンの裾に容易に着脱できて、ずり落ちや捲れ上がりを防止可能であり、下端開口に隙間が生じることを防止できるズボン裾濡れ防止カバーを提供する。  【解決手段】  筒状に形成し得るように展開状態で形成された本体部と、本体部をズボンの裾周りに巻き付けて筒状に形成したときに両端を相互に貼着する貼着手段と、ズボンの裾周りに巻き付けた本体部を脚に固定する締着手段と、筒状に形成される本体部の筒軸方向に複数設けられた芯材とを備える。ズボンの裾周りにおける上下方向の位置を調整して固定するための位置決め手段を備える。靴の前方部分が濡れないように覆う靴被覆材が、本体部の下端に着脱自在に貼着されている。【選択図】  図１
2006291381.tif 000002
【特許請求の範囲】
【請求項１】
筒状に形成し得るように展開状態で形成された本体部と、該本体部をズボンの裾周りに巻き付けて筒状に形成したときに両端を相互に貼着する貼着手段と、ズボンの裾周りに巻き付けた本体部を脚に固定する締着手段と、筒状に形成される本体部の筒軸方向に複数設けられた芯材とを備えることを特徴とするズボンの裾濡れ防止カバー。
【請求項２】
ズボンの裾周りに巻いた前記本体部を前記貼着手段で固定する前に、ズボンの裾周りにおける上下方向の位置を調整して固定するための位置決め手段を備えることを特徴とする請求項１に記載のズボンの裾濡れ防止カバー。
【請求項３】
靴の前方部分が濡れないように覆う靴被覆材が、前記本体部の下端に着脱自在に貼着されたものである請求項１に記載のズボンの裾濡れ防止カバー。
【発明の詳細な説明】
【技術分野】
【０００１】
本発明は、雨天時にズボンの裾が雨水で濡れるのを防止する着脱式の雨具に関する。
【背景技術】
【０００２】
従来から雨具として、傘、雨合羽、長靴が使用されている。この雨具のうち、傘だけを用いて雨のなかを歩行した場合には、路面から跳ね返った雨水や靴の踵で跳ね上がった雨水によりズボンの裾が濡れるという問題がある。
【０００３】
この問題を解決するため、特開２０００−１６０４１１号公報（特許文献１）には、ズボンの裾が濡れることを防止するための雨具が提案されている。
すなわち、特許文献１の裾濡れ防止雨具５０は、図５に示したように、雨具本体５１が防水性を有する布地等により、上下に開口５２,５３を有する筒状に形成され、その上端周縁にゴム等の高弾性材料が取り付けられて締結部材５４が形成されている。この裾濡れ防止雨具５０は、図６に示したように、締結部材５４がズボン５５の膝下付近５６を締め付け、下端開口５３が靴５７の外周部を覆うように取り付けられる。
【０００４】
この裾濡れ防止雨具５０は予め筒状に形成されたものであり、挿着時に展開できるように構成されておらず、したがって、上端開口５２から下端開口５３まで脚を通すことにより、ズボン５５の裾に取り付けられるものである。したがって、この裾濡れ防止雨具５０をズボンの裾に着脱する際、靴を履いたままでは、靴底の塵や雨水により雨具５０の内部が汚れる虞があるため、一旦、靴を脱ぐ必要が生じる。しかしながら、外出時に雨天に変わったような場合には、靴を脱いでから裾濡れ防止雨具５０をズボンの裾に取り付けることは煩雑であり、使い勝手が悪いという欠点がある。
また、上端開口５２の締結部材５４だけで固定しているものであるため、歩行しているうちに、ズボンの裾との摩擦により、下端開口５３から捲れ上がってしまったり、逆に下方にずり落ちたりする虞がある。
さらに、図６のようにズボンの裾を緩やかに覆うだけでは、この下端開口５３に隙間が生じ、路面から跳ね返った雨水がここからズボン裾内部に侵入する虞がある。
【特許文献１】特開２０００−１６０４１１号公報
【発明の開示】
【発明が解決しようとする課題】
【０００５】
本発明の課題は、靴を脱ぐことなくズボンの裾に着脱することができるため、着脱が容易であるズボン裾濡れ防止カバーを提供することにある。
【０００６】
また本発明の課題は、ズボンの裾に装着した際に、ずり落ちや捲れ上がりを防止することが可能なズボン裾濡れ防止カバーを提供することにある。
【０００７】
さらに本発明の課題は、下端開口に隙間が生じることを防止することができ、ここからズボン裾内部への雨水の侵入を防止することができるズボン裾濡れ防止カバーを提供することにある。
【課題を解決するための手段】
【０００８】
本発明では、筒状に形成し得るように展開状態で形成された本体部と、該本体部をズボンの裾周りに巻き付けて筒状に形成したときに両端を相互に貼着する貼着手段と、ズボンの裾周りに巻き付けた本体部を脚に固定する締着手段と、筒状に形成される本体部の筒軸方向に複数設けられた芯材とを備えることを特徴とするズボンの裾濡れ防止カバーを提供することにある。
本発明のズボンの裾濡れ防止カバーは、本体部が展開状態に形成され、貼着手段を備えるものであるため、この本体部をズボンの裾周りに筒状に巻き付けて、貼着手段により固定するだけで装着することが可能である。したがって、靴を脱ぐことなく極めて容易かつ迅速にズボン裾へ着脱することができて、着脱時の煩雑さが解消できる。また本体部には芯材が複数設けられているため、たとえ、歩行時にズボン裾との摩擦が生じたとしても、ずり落ちや捲れ上がりを防止することが可能である。さらに、筒状に形成される本体部の上下両端に締着手段を取り付ければ、下端開口に隙間が生じることを防止することが可能であり、ここからの雨水の侵入を防止することができる。
【０００９】
本発明のズボンの裾濡れ防止カバーにおいては、ズボンの裾周りに巻いた前記本体部を前記貼着手段で固定する前に、ズボンの裾周りにおける上下方向の位置を調整して固定するための位置決め手段を設けても良い。この位置決め手段により、一旦、本体部をズボンの裾周りに留めて上下方向に動かすだけで、上下位置を容易かつ迅速に調整することが可能になる。
【００１０】
本発明のズボンの裾濡れ防止カバーでは、靴の前方部分が濡れないように覆う靴被覆材を、前記本体部の下端に着脱自在に貼着するように設けることができる。この靴被覆材により、比較的雨足が強い場合であっても、靴の中に雨水が侵入することを確実に防止することができる。
【発明の効果】
【００１１】
本発明のズボンの裾濡れ防止カバーによれば、ズボン裾への着脱が容易であり、ずり落ちや捲れ上がりを防止することができて、下端からズボン裾内部への雨水の侵入を防止することが可能になる。
【発明を実施するための最良の形態】
【００１２】
以下、図面を参照して本発明について説明するが、本発明はこれに限定されるものではない。
【００１３】
裾濡れ防止カバー１０は、図１に示したように、展開状態に形成された本体部１１の左右両端に、貼着部材（マジックテープ（登録商標））１２，１３が固定され、本体部１１の上下両端に締着部材（ゴム紐）１４，１５が内装され、左端付近と中間部にはそれぞれ芯材１６，１７が内装されている。
なお、裾濡れ防止カバー１０は、本体部１１の上下端に締着部材１４，１５が設けられているため、その作用により、実際には展開状態であっても、図２に示したように収縮した状態になっている。しかしながら、図１（ａ）（ｂ）では、各構成やその配置についての理解を容易にするために、収縮していない平坦な状態で、それぞれ表側展開図と裏側展開図を示した。また図１（ａ）（ｂ）の展開図はそれぞれ表側と裏側とを示すものであるため左右が逆転している。
【００１４】
以下、さらに詳細に説明すれば、前記本体部１１は、防水性を有する生地や合成樹脂製繊維からなる生地により展開状態で形成されたものである。本体部１１の表側の上端辺には、ほぼ全長にわたり折返し部分１１ａ（図１（ａ）参照）が形成され、本体部１１の裏側の上端辺に締着部材１４（図１（ｂ）参照）を内装する収容部が形成される。
また本体部１１の裏側の下端付近には、ほぼ全長にわたり縫い線１１ｂを介して折返し部分１１ｃ（図１（ｂ）参照）が形成され、この裏側折返し部分１１ｃに締着部材１５を内装する収容部が形成される。このように締着部材１５が裏側折返し部分１１ｃに設けられた場合、表側の下端辺に形成される表側幅広部分１１ｄは、締着部材１５により拘束されず、緩やかに広がり靴の上部を覆うことが可能になる。
【００１５】
図１及び図２では、貼着部材１２，１３としてマジックテープ（登録商標）を図示したが、これ以外にも、ファスナー、磁石及びボタン等を使用することが可能である。図１（ａ）（ｂ）に示したように、貼着部材１２は本体部１１の右端の表側に縫い付けられ、貼着部材１３は本体部１１の左端の裏側（図１（ｂ）参照）に縫い付けられており、本体部１１を図４のようにズボンの裾周りに巻き付けたときに、貼着部材１２，１３どうしを貼着すれば、筒状に形成することができる。
【００１６】
上記においては、締着部材１４，１５としてゴム紐を例示したが、これ以外では、スパンデックス（ポリウレタン系弾性糸）等を使用することが可能である。
これら締着部材１４，１５は、ズボンの裾周りに巻き付けた裾濡れ防止カバー１０を脚に固定するものである。下端の締着部材１５は、上端の締着部材１４よりも強い締め付け力を有するように設けられ、ズボン裾が裾濡れ防止カバー１０から出ないように止め、且つ裾濡れ防止カバー１０の下端に隙間が生じることを防止し、ここからの雨水の侵入をも防止する。上端の締着部材１４は緩やかに締まるように比較的弱い締め付け力を有するものである。
【００１７】
前記芯材１６，１７は、図４に示したように、裾濡れ防止カバー１０を脚に巻き付けて歩行するときに、ずり落ちたり或いは捲くれ上がったりしないように設けたものである。
【００１８】
裾濡れ防止カバー１０には左右両下端にフック２５ａ，２５ｂが設けられている。これらフック２５ａ，２５ｂは、裾濡れ防止カバー１０をズボンの裾周りに巻いて貼着部材１２，１３どうしを貼着させる前に、ズボンの裾周りにおける上下方向の位置を調整するための位置決め手段である。したがって、フック２５ａ，２５ｂどうしを係合させた後にも、裾濡れ防止カバー１０の円周がズボンの太さよりも大きくなり、上下方向に動かすことができるように、フック２５ａ，２５ｂを配置する。
【００１９】
また、裾濡れ防止カバー１０には、図１（ｂ）に示した靴被覆材１８が着脱自在に取り付け可能であり、この靴被覆材１８により靴の前方部分が図４に示したように覆われる。靴被覆材１８の上端には複数箇所にマジックテープ（登録商標）１９が設けられ、本体部１１にも対向位置にマジックテープ（登録商標）２６が設けられ、マジックテープ（登録商標）１９,２６どうしを貼り合わせて図４のように固定する。なお、マジックテープ（登録商標）２６は、図１（ｂ）における裏側折返し部分１１ｃの裏面に設けられている。
靴被覆材１８は、比較的雨足が強い場合であっても、靴の中に雨水が侵入することを確実に防止するものである。
【００２０】
なお、裾濡れ防止カバー１０の表側にはポケット２０を設けても良く、靴被覆材１８を使用しないときには、このポケット２０に収容することができる。また裾濡れ防止カバー１０を使用しないときには、図３（ａ）に示したような袋２１に収容することが好ましい。一方、裾濡れ防止カバー１０を使用しているときには、図３（ｂ）のような係止具２２により、袋２１を図３（ａ）に示したように傘２３の柄２４に係止させることができる。
【図面の簡単な説明】
【００２１】
【図１】（ａ）は本発明のズボン裾濡れ防止カバーの表側展開図、（ｂ）は裏側展開図である。
【図２】本発明のズボン裾濡れ防止カバーの表側の平面図である。
【図３】（ａ）は本発明のズボン裾濡れ防止カバーを収容する袋の図であり、（ｂ）は袋を止める掛止材である。
【図４】本発明のズボン裾濡れ防止カバーをズボン裾に装着した際の斜視図である。
【図５】従来のズボン裾濡れ防止カバーの斜視図である。
【図６】図５のカバーをズボン裾に装着した際の斜視図である。
【符号の説明】
【００２２】
１０  裾濡れ防止カバー
１１  本体部
１２  貼着部材（マジックテープ（登録商標））
１３  貼着部材（マジックテープ（登録商標））
１４  締着部材（ゴム紐）
１５  締着部材（ゴム紐）
１６  芯材
１７  芯材
１８  靴被覆材
２５ａ  フック（位置決め手段）
２５ｂ  フック（位置決め手段）
【図１】
2006291381.tif 000003
【図２】
2006291381.tif 000004
【図３】
2006291381.tif 000005
【図４】
2006291381.tif 000006
【図５】
2006291381.tif 000007
【図６】
2006291381.tif 000008